(57)【要約】【課題】薄型化を実現することができ、曲面を有する被取付物にも簡易に設置することができるとともに、複数並べた場合には輝度ムラを抑制できる面発光モジュールを提供する。【解決手段】面発光モジュール４０は、複数の発光素子１０から成る面状の光源部２と、発光素子１０を封止する曲げ変形可能な封止部材３０と、封止部材３０を被取付物に取り付けるための取付部材２０とを備える。封止部材３０は、光源部２を覆う被覆部と被覆部の周囲に位置する耳部とを含み、発光素子１０は封止部材３０のおもて面側に発光面を有する。封止部材３０のうら面のうち耳部に該当する部分が封止部材のうら面のうち被覆部に該当する部分と対向するように、被覆部と耳部との境界部近傍において耳部が折り返されることにより、取付部材２０を介して被取付物に取り付けるための取付領域３３ａ，３３ｂが耳部により形成されている。【選択図】図２
2015141782.tif 000002
【特許請求の範囲】
【請求項１】
被取付物に取り付けられる面発光モジュールであって、
単数の発光素子または平面的に並べて配置された複数の発光素子から成る面状の光源部と、
おもて面とうら面とを有し、前記光源部が内部に埋設されるように前記発光素子を封止する曲げ変形可能な封止部材と、
前記封止部材を被取付物に取り付けるための取付部材とを備え、
前記封止部材は、前記光源部を覆う被覆部と、前記被覆部の周囲に位置する耳部とを含み、
前記封止部材の前記おもて面側から光が出射されるように、前記発光素子は前記封止部材の前記おもて面側に発光面を有し、
前記封止部材の前記うら面のうち前記耳部に該当する部分が前記封止部材の前記うら面のうち前記被覆部に該当する部分と対向するように、前記被覆部と前記耳部との境界部近傍において前記耳部が折り返されることによって、前記取付部材を介して被取付物に取り付けるための取付領域が折り返された前記耳部により形成されている、面発光モジュール。
【請求項２】
前記発光素子は、曲げ変形可能である、請求項１に記載の面発光モジュール。
【請求項３】
折り返された前記耳部が前記被覆部に固定されて、前記被覆部との間に筒状の空間を形成している、請求項１または２に記載の面発光モジュール。
【請求項４】
前記取付部材は、ワイヤまたは帯状部材であり、
前記ワイヤまたは前記帯状部材が、折り返された前記耳部と前記被覆部との間に形成される筒状の空間に挿通されるとともに、前記ワイヤまたは前記帯状部材が被取付物に固定されることにより、前記面発光モジュールが被取付物に取り付けられる、請求項１から３のいずれか１項に記載の面発光モジュール。
【請求項５】
前記取付部材は、被取付物側に設けられた係止部に係止されることが可能な被係止部によって構成されており、
前記被係止部は、前記封止部材の前記耳部のおもて面のうち前記取付領域に該当する部分に設けられており、前記被係止部が前記係止部に係止されることにより、前記面発光モジュールが被取付物に取り付けられる、請求項１から３のいずれか１項に記載の面発光モジュール。
【請求項６】
前記被係止部は、前記係止部に着脱自在に係止される、請求項５に記載の面発光モジュール。
【請求項７】
前記発光素子は、透明基材と、前記発光面側と反対側に位置する前記透明基材の主表面上に順に積層されたバリア層、陽極、有機層、および陰極と、前記陽極、前記有機層および前記陰極を封止する封止層とを含み、
前記有機層は、平面的に見て前記バリア層の内側に位置するように形成され、
前記バリア層は、前記面発光モジュールの厚み方向における中心部に配置され、
前記封止部材が、平面的に見て前記有機層の外側であって前記バリア層を含む部分において折り返されている、請求項１から６のいずれか１項に記載の面発光モジュール。
【発明の詳細な説明】
【技術分野】
【０００１】
本発明は、面発光モジュールに関し、特に、壁面、天井面、床面等の各種の設置面に設置可能な面発光モジュールに関する。
【背景技術】
【０００２】
近年、有機ＥＬ（Organic  Electroluminecense）素子を利用した面発光モジュールを具備する照明装置が各種提案されている。このような照明装置は、多様化の観点から大型化が求められている。照明装置を大型化させる手段として、基板サイズを大きくすることが考えられる。しかしながら、この場合には、製造装置の大型化や歩留まりの悪化等により製造コストが増加する等の問題が発生する。そこで、製造が比較的容易な大きさの面発光モジュールを行列状に複数並べることにより、大型化された照明装置が提案されている。
【０００３】
面発光モジュールは、発光部とその周囲に位置する非発光部を有する。このため、複数の面発光モジュールを並べる際には、デザイン性および機能性の観点から面発光モジュール間の継ぎ目近傍に位置する非発光部を目立たなくすることが要求される。
【０００４】
照明装置ではないが、小型基板上に有機ＥＬ素子が形成された表示装置を複数並べて形成される表示装置であって、小型基板同士の継ぎ目を目立たなくすることができる表示装が、特開２００５−２６６２８５号公報（特許文献１）に開示されている。
【０００５】
特許文献１に開示の表示装置にあっては、複数の小型基板の側端面同士が接合されるとともに複数の小型基板が平面的に配列されている。小型基板同士の接合部分においては、一方の小型基板に設けられた上向きの順テーパを有する側端面と、他方の小型基板に設けられた下向きの順テーパを有する側端面とが接合されている。
【０００６】
特許文献１の構成を複数の面発光モジュールを並べて形成された照明装置に適用した場合には、ある程度、面発モジュール間の間隔を狭めることができる。しかしながら、非発光部も相当程度残ってしまうため、発光部と非発光部とで明暗が生じる。このため、輝度ムラを十分には改善することができない。一方、非発光部を狭めるために、有機ＥＬ素子を封止する封止部材が当該有機ＥＬ素子からはみ出す領域を狭めた場合には、信頼性が低下する懸念が生じる。
【０００７】
そこで、複数の有機ＥＬ素子を配置する場合において、個々の有機ＥＬ素子における封止部材の封止領域を狭めて信頼性を損なうことなく、全体として非発光部を狭めることができる面発光モジュールが、特開２００９−２０５８９７号公報（特許文献２）に開示されている。
【０００８】
特許文献２に開示の面発光モジュールは、基板上に陽極および陰極に挟まれるように有機発光層が設けられた複数の有機ＥＬ素子と、有機ＥＬ素子を固定するための取付孔を有する支持基板とを備える。複数の有機ＥＬ素子のそれぞれは、折り曲げられた複数の端部が取付孔に挿入されて、互いに隣接するように配置されている。この際、有機発光層は、折り曲げられた端部の領域に延伸して配置されている。このように構成することにより、有機ＥＬ素子間の継ぎ目に起因する輝度ムラの発生を改善することができる。
【０００９】
照明装置ではないが、同様に複数の表示装置を配置する場合において、表示に寄与しない個々の額縁領域を狭めて信頼性を損なうことなく、全体として狭額縁化することができる表示装置が、特開２０１１−４７９７７号公報（特許文献３）に開示されている。
【００１０】
特許文献３に開示の表示装置は、表示領域とその周囲に位置する額縁領域とを有し、表示領域に電気光学層を含む表示パネルと、平面的なサイズが表示領域と略同一に形成され、表示パネルを支持する支持枠とを備える。額縁領域は、表示領域の周縁部から支持枠側に折り曲げられ、支持枠の側面に固定されている。このように構成することにより、継ぎ目に起因する画質の低下を抑制することができる。
【先行技術文献】
【特許文献】
【００１１】
【特許文献１】特開２００５−２６６２８５号公報
【特許文献２】特開２００９−２０５８９７号公報
【特許文献３】特開２０１１−４７９７７号公報
【発明の概要】
【発明が解決しようとする課題】
【００１２】
近年、照明装置にあっては、上記のような輝度ムラを低減させることに加えて、壁面や曲面を有する柱等の被取付物に簡易に取付け可能であることが要求される。さらに、デザイン性の観点から薄型化が要求される。
【００１３】
ここで、特許文献２に開示の構成においては、支持基板がリジッド（剛体）であるため、面発光モジュールを湾曲させて曲面に設置することが困難となる。曲面に対応する形状を有する筐体を別途設けて面発光モジュールを曲面に設置する場合には、厚さが増加してしまう。
【００１４】
ある程度の厚さが許容され、筐体を用いることが可能である場合には、面発光モジュールを保持可能な保持構造を筐体内に設けることができる。この場合には、面発光モジュールが筐体に保持されることにより、その形状が安定するため、面発光モジュールを容易に被取付物に取り付けることができる。
【００１５】
しかしながら、薄型化が要求される場合には、筐体を用いることができないため、面発光モジュールの形状が安定しない場合であっても簡易に面発光モジュールを被取付物に取り付けることができる取付構造が別途必要となる。しかしながら、特許文献２においては、薄型化に適した取付構造については十分に考慮されていない。
【００１６】
特許文献３に開示の構成を面発光モジュールに適用した場合にあっても、支持枠がリジッド（剛体）であるため、面発光モジュールを曲面に設置することが困難となる。また、上述同様に薄型化に適した取付構造については十分に考慮されていない。
【００１７】
本発明は、上記のような問題に鑑みてなされたものであり、本発明の目的は、薄型化を実現することができ、曲面を有する被取付物にも簡易に設置することができるとともに、複数並べた場合には輝度ムラを抑制できる面発光モジュールを提供することにある。
【課題を解決するための手段】
【００１８】
本発明に基づく面発光モジュールは、被取付物に取り付けられるものであって、単数の発光素子または平面的に並べて配置された複数の発光素子から成る面状の光源部と、おもて面とうら面とを有し、上記光源部が内部に埋設されるように上記発光素子を封止する曲げ変形可能な封止部材と、上記封止部材を被取付物に取り付けるための取付部材とを備える。上記封止部材は、上記光源部を覆う被覆部と、上記被覆部の周囲に位置する耳部とを含み、上記封止部材の上記おもて面側から光が出射されるように、上記発光素子は上記封止部材の上記おもて面側に発光面を有する。上記封止部材の上記うら面のうち上記耳部に該当する部分が上記封止部材の上記うら面のうち上記被覆部に該当する部分と対向するように、上記被覆部と上記耳部との境界部近傍において上記耳部が折り返されることによって、上記取付部材を介して被取付物に取り付けるための取付領域が折り返された上記耳部により形成されている。
【００１９】
上記本発明に基づく面発光モジュールにあっては、上記発光素子は、曲げ変形可能であることが好ましい。
【００２０】
上記本発明に基づく面発光モジュールにあっては、折り返された上記耳部が上記被覆部に固定されて、上記被覆部との間に筒状の空間を形成していることが好ましい。
【００２１】
上記本発明に基づく面発光モジュールにあっては、上記取付部材は、ワイヤまたは帯状部材であることが好ましい。この場合には、上記ワイヤまたは上記帯状部材が、折り返された上記耳部と上記被覆部との間に形成される筒状の空間に挿通されるとともに、上記ワイヤまたは上記帯状部材が被取付物に固定されることにより、上記面発光モジュールが被取付物に取り付けられることが好ましい。
【００２２】
上記本発明に基づく面発光モジュールにあっては、上記取付部材は、被取付物側に設けられた係止部に係止されることが可能な被係止部によって構成されていることが好ましい。この場合には、上記被係止部は、上記封止部材の上記耳部のおもて面のうち上記取付領域に該当する部分に設けられており、上記被係止部が上記係止部に係止されることにより、上記面発光モジュールが被取付物に取り付けられることが好ましい。
【００２３】
上記本発明に基づく面発光モジュールにあっては、上記被係止部は、上記係止部に着脱自在に係止されることが好ましい。
【００２４】
上記本発明に基づく面発光モジュールにあっては、上記発光素子は、透明基材と、上記発光面側と反対側に位置する上記透明基材の主表面上に順に積層されたバリア層、陽極、有機層、および陰極と、上記陽極、上記有機層および上記陰極を封止する封止層とを含むことが好ましい。また、上記有機層は、平面的に見て上記バリア層の内側に位置するように形成されることが好ましく、上記バリア層は、上記面発光モジュールの厚み方向における中心部に配置されることが好ましい。この場合には、上記封止部材が、平面的に見て上記有機層の外側であって上記バリア層を含む部分において折り返されていることが好ましい。
【発明の効果】
【００２５】
本発明によれば、薄型化を実現することができ、曲面を有する被取付物にも簡易に設置することができるとともに、複数並べた場合には輝度ムラを抑制できる面発光モジュールを提供することができる。
【図面の簡単な説明】
【００２６】
【図１】本発明の実施の形態１に係る面発光モジュールを具備した照明装置を示す概略図である。
【図２】本発明の実施の形態１に係る面発光モジュールを示す概略図である。
【図３】図２に示す面発光モジュールに具備される発光素子の平面図である。
【図４】図３に示すＩＶ−ＩＶ線に沿った断面図である。
【図５】図２に示す面発光モジュールの展開図である。
【図６】図２に示すＶＩ−ＶＩ線に沿った概略断面図である。
【図７】図２に示す面発光モジュールの製造方法において耳部を折り返す工程の第１工程を示す図である。
【図８】図７に示す第１工程の後状態における面発光モジュールの裏面を示す平面図である。
【図９】図２に示す面発光モジュールの製造方法において耳部を折り返す工程の第２工程を示す図である。
【図１０】図９に示す第２工程の後状態における面発光モジュールの裏面を示す平面図である。
【図１１】図９に示す第２工程の後状態における面発光モジュールの表面を示す平面図である。
【図１２】本発明の実施の形態２に係る面発光モジュールの概略断面図である。
【図１３】図１２に示す面発光モジュールを構成する各層の厚さを示す図である。
【図１４】本発明の実施の形態３に係る面発光モジュールの裏面を示す平面図である。
【図１５】本発明の実施の形態３に係る面発光モジュールを具備した照明装置を示す概略図である。
【図１６】本発明の実施の形態４に係る面発光モジュールの裏面を示す平面図である。
【発明を実施するための形態】
【００２７】
以下、本発明の実施の形態について、図を参照して詳細に説明する。なお、以下に示す実施の形態においては、同一のまたは共通する部分について図中同一の符号を付し、その説明は繰り返さない。また、実施の形態および変形例の説明において、個数、量などに言及する場合、特に記載がある場合を除き、本発明の範囲は必ずしもその個数、量などに限定されない。
【００２８】
（実施の形態１）
図１は、本発明の実施の形態に係る面発光モジュールを具備した照明装置を示す概略図である。図２は、本発明の実施の形態に係る面発光モジュールを示す概略図である。図１および図２を参照して、本実施の形態に係る面発光モジュール４０について説明する。
【００２９】
図１に示すように、照明装置１００は、複数の面発光モジュール４０を行列状にタイリングすることにより構成される。照明装置１００は、被取付物２００の設置面２０１に沿って設置されている。被取付物２００は、たとえば円柱形状を有する柱等であり、設置面２０１として曲面を有する。複数の面発光モジュール４０は、ワイヤ２０を介して被取付物２００に取り付けられている。
【００３０】
図２に示すように、面発光モジュール４０は、表面４０ａから光を出射する。また、面発光モジュール４０は、裏面４０ｂが被取付物２００の設置面２０１に対向するように被取付物２００に着脱可能に取り付けられる。面発光モジュール４０は、３枚の発光素子１０から成る面状の光源部２と、取付部材としてのワイヤ２０と、封止部材３０とを備える。
【００３１】
面発光モジュール４０には、封止部材３０の端部３１ａ，３１ｂが封止部材３０のうら面３０ｂ（図６参照）側に折り返されることにより、取付領域３３ａ，３３ｂが形成されている。取付領域３３ａ，３３ｂは、取付部材を介して面発光モジュール４０を被取付物２００に取り付けるための部分である。
【００３２】
光源部２は、３枚の発光素子１０を取り囲むように略矩形形状を有する。光源部２は、便宜上、非発光領域Ｒ２（図４参照）および発光に寄与しない３枚の発光素子１０の間の領域３を含むものとする。３枚の発光素子１０は、略矩形形状を有する。３枚の発光素子１０は、接続配線（不図示）によって電気的に直列に接続されている。接続配線と電極との接続に際しては、銀ペースト、はんだ、または導電性テープ等が用いられる。電気的に直列に接続された３枚の発光素子１０の両端から引き出された接続配線は、電気接続部（不図示）として面発光モジュール４０の裏面４０ｂ側に取り出される。
【００３３】
上述の電気接続部は、配線部（不図示）を介して外部電源に接続されている。外部電源からの駆動電流が、配線部、電気接続部および上述の接続配線を介して発光素子１０に供給される。これにより、発光素子１０が発光し、面発光モジュールの表面４０ａから光が出射される。
【００３４】
図３は、図２に示す面発光モジュールに具備される発光素子の平面図である。図４は、図３に示すＩＶ−ＩＶ線に沿った断面図である。図３および図４を参照して、発光素子１０について説明する。
【００３５】
図３および図４に示すように、発光素子１０は、たとえば可撓性を有し、曲げ変形可能な有機ＥＬ素子から構成される。発光素子１０は、透明基材１１、バリア層１２、陽極１３、有機層１４、陰極１５、封止層１６、絶縁層１７、および、発光面１１ａを含む。バリア層１２、陽極１３、有機層１４、および陰極１５は、透明基材１１の表面に順次積層される。
【００３６】
透明基材１１は、透光性を有し、可撓性を有する材料が用いられる。透明基材１１としては、たとえば可撓性を有する薄型のガラス基板から構成される。また、透明基材１１としては、ＰＥＴ（polyethylene  terephthalate）、ＰＥＮ（polyethylene  naphthalate）、ＰＣ（poly  carbonate）等の透明樹脂フィルムが用いられてもよい。発光面１１ａは、透明基材１１の有機層１４とは反対側の表面に形成される。なお、透明基材１１の両面には、必要に応じてハードコート層を設けてもよい。
【００３７】
バリア層１２は、大気中の酸素、水分を遮断する。バリア層１２の材料としては、酸化シリコン、窒化シリコン、酸化窒化シリコン、窒化アルミニウム、酸化アルミニウム等の金属酸化物、金属窒化物を採用することができる。これらの材料は、水蒸気バリア機能のほかに酸素バリア機能も有する。特にバリア性、耐溶剤性、透明性が良好な窒化シリコン、酸化窒化シリコンが好ましい。また、バリア層１２は必要に応じて多層構成とすることも可能である。バリア層１２の形成方法は、材料に応じて、抵抗加熱蒸着法、電子ビーム蒸着法、反応性蒸着法、イオンプレーティング法、スパッタリング法等を用いることができる。
【００３８】
陽極１３は、透明性を有する導電膜である。陽極１３を形成するためには、スパッタリング法等によって、ＩＴＯ（Indium  Tin  Oxide：インジウム錫酸化物）等がバリア層１２上に成膜される。フォトリソグラフィ法等によりＩＴＯ膜が所定の形状にパターニングされることによって、陽極１３が形成される。本実施の形態における陽極１３は、電極部１８（陽極用）および電極部１９（陰極用）を形成するために、パターニングによって２つの領域に分割されている。
【００３９】
有機層１４（光源部）は、電力を供給されることによって光（可視光）を生成することができる。有機層１４は、単層の発光層から構成されていてもよく、正孔輸送層、発光層、正孔阻止層、および電子輸送層などが順次積層されることによって構成されていてもよい。有機層１４は、平面的に見てバリア層１２の内側に位置するように形成されている。
【００４０】
陰極１５は、たとえばアルミニウム（ＡＬ）である。陰極１５は、真空蒸着法等によって有機層１４を覆うように形成される。陰極１５を所定の形状にパターニングするために、真空蒸着の際にはマスクが用いられるとよい。
【００４１】
陰極１５と陽極１３とが短絡しないように、陰極１５と電極部１８側の陽極１３との間に絶縁層１７が設けられる。陰極１５の絶縁層１７が設けられる側とは反対側の部分は、電極部１９側の陽極１３に接続される。絶縁層１７は、たとえばスパッタリング法を用いてＳｉＯ２などが成膜された後、フォトリソグラフィ法等を用いて陽極１３と陰極１５とを互いに絶縁する箇所を覆うように所望のパターンに形成される。
【００４２】
封止層１６は、絶縁性を有する樹脂またはガラス基板などから構成される。封止層１６は、有機層１４を水分等から保護するために形成される。封止層１６は、陽極１３、有機層１４、および陰極１５の略全体を透明基材１１上に封止する。陽極１３の一部は、電気的な接続のために、封止層１６から露出している。
【００４３】
陽極１３の封止層１６から露出している（図４左側の）部分は、電極部１８を構成する。電極部１８と陽極１３とは互いに同じ材料で構成される。電極部１８は、発光素子１０の外周部に位置する。陽極１３の封止層１６から露出している（図４右側の）部分は、電極部１９を構成する。電極部１９と陽極１３とは互いに同じ材料で構成される。電極部１９も、発光素子１０の外周部に位置する。電極部１８および電極部１９は、有機層１４を挟んで相互に反対側に位置している。電極部１８および電極部１９には、はんだ付け（銀ペースト）等を用いて配線パターン（図示せず）が取り付けられる。
【００４４】
以上のように構成される発光素子１０においては、透明基材１１の発光面１１ａに、発光領域Ｒ１および非発光領域Ｒ２が形成される。発光領域Ｒ１が形成される部分は、発光面１１ａ（光放射面）の中央側に位置し、有機層１４が形成されている領域に略対応している。非発光領域Ｒ２が形成される部分は、発光領域Ｒ１の外周に位置し、電極部１８，１９が形成されている領域に略対応している。
【００４５】
図５は、図２に示す面発光モジュールの展開図である。図６は、図２に示すＶＩ−ＶＩ線に沿った概略断面図である。図６においては、陽極、陰極、絶縁層および電極部を省略している。図５および図６を参照して、封止部材３０および取付領域３３ａ，３３ｂの詳細について説明する。
【００４６】
図５に示すように、封止部材３０は、光源部２を被覆する被覆部３４と、当該被覆部３４の周囲に位置する耳部３５（図３参照）とを含む。被覆部３４は、封止部材３０の略中央に位置する。耳部３５は、発光素子１０の信頼性を確保するために所定の大きさで設けられている。
【００４７】
耳部３５は、第１領域３５ａ、第２領域３５ｂ、第３領域３５ｃおよび第４領域３５ｄを有する。第１領域３５ａおよび第２領域３５ｂは、発光素子１０の長辺側に位置し、その間に３枚の発光素子１０を挟み込むように対向して設けられている。第３領域３５ｃおよび第４領域３５ｄは、発光素子１０の短辺側に位置し、その間に３枚の発光素子１０を挟み込むように対向して設けられている。
【００４８】
面発光モジュール４０は、発光素子１０の短辺側において第３領域３５ｃおよび第４領域３５ｄが耳部３５と被覆部３４との境界部近傍で折り返されるとともに、発光素子１０の長辺側において第１領域３５ａおよび第２領域３５ｂが耳部３５と被覆部３４と境界部近傍で折り返されることにより形成されている。
【００４９】
図６に示すように、封止部材３０は、おもて面３０ａとうら面３０ｂとを有する。封止部材３０は、光源部２（図５参照）が内部に埋設されるように３枚の発光素子１０を封止する。封止部材３０は、発光素子１０の発光面１１ａが封止部材３０のおもて面３０ａ側を向くように発光素子１０を封止する。これにより、封止部材３０のおもて面３０ａから光が出射可能となる。
【００５０】
封止部材３０は、おもて面３０ａ側を構成する第１封止部３６と、うら面３０ｂ側を構成する第２封止部３７とを含む。封止部材３０は、第１封止部３６と第２封止部３７との間に発光素子１０を挟み込んだ状態で、これらが真空状態で熱溶着、接着等されることにより設けられる。
【００５１】
第１封止部３６および第２封止部３７の材料としては、透光性を有し、かつ曲げ変形可能となるように柔軟性を有する軟質材を採用することができる。具体的には、第１封止部３６および第２封止部３７の材料としてＰＥＴ、ＰＥＮ、ＰＣ等の公知の透明樹脂フィルムを採用することが好ましい。
【００５２】
なお、第１封止部３６と、第２封止部３７とは、同じ材料で構成されてもよいし、異なる材料で構成されてもよい。また、面発光モジュール４０のおもて面４０ａ側が光透過性を有するように構成される限り、第２封止部３７が透光性を有さないように構成されていてもよい。たとえば、第２封止部３７は、アルミニウム等の金属膜と樹脂フィルムの積層膜で構成されていてもよい。
【００５３】
取付領域３３ａ，３３ｂは、折り返された耳部３５と被覆部３４との間に形成される空間である。耳部３５は、封止部材３０のうら面３０ｂのうち耳部３５に該当する部分が封止部材３０のうら面３０ｂのうち被覆部３４に該当する部分と対向するように折り返されている。折り返された耳部３５の先端部が、被覆部３４に固定されている。折り返された耳部３５と被覆部３４との間に形成される空間にワイヤ２０が挿通されて、ワイヤ２０が被取付物に固定されることにより、面発光モジュール４０が被取付物２００に取り付けられる。
【００５４】
図７から図１１は、図２に示す面発光モジュールの製造方法において耳部を折り返す工程の第１工程および第２工程を示す図、これら第１工程および第２工程の後状態における面発光モジュールの表面または裏面を示す平面図である。図７から図１１を参照して、面発光モジュール４０の製造方法について説明する。
【００５５】
面発光モジュール４０を製造するに際して、まず、発光素子１０を準備する工程において、上記のような構成を有し、一対の陽極１３および陰極１５の間に有機層１４を介在させて成る略矩形形状の発光素子１０を準備する。続いて、発光素子１０を封止部材３０によって封止する工程において、複数の発光素子１０から成る光源部２が内部に埋設されるように発光素子１０を封止部材３０によって封止する。これにより、封止部材３０に光源部２を覆う被覆部３４と当該被覆部３４の周囲に位置する耳部３５を形成する。
【００５６】
次に、図７に示すように、耳部３５を折り返す第１工程において、耳部３５のうち発光素子１０の短辺側に位置する第３領域３５ｃ，第４領域３５ｄを、矢印Ａ、Ｂに示すように発光面１１ａと反対側に折り返す。この際、第３領域３５ｃ，第４領域３５ｄを耳部３５と被覆部３４の境界部近傍Ｌ１，Ｌ２で折り返す。ここで、境界部近傍Ｌ１，Ｌ２とは、発光素子１０の短辺側における透明基材１１の端部に沿った位置または当該端部から外側に少し離れた位置を指す。
【００５７】
図８に示すように、第１工程の後状態においては、第３領域３５ｃ，第４領域３５ｄのうら面の一部が、被覆部３４のうら面の短辺側の端部にそれぞれ対向する。この状態において、第３領域３５ｃ，第４領域３５ｄのうら面を、封止部材３０のうら面３０ｂに固定する。この場合にあっては、第３領域３５ｃ，第４領域３５ｄのうら面と封止部材３０ｂのうら面との間に隙間が形成されないように固定されることが好ましい。これにより、次の工程である耳部３５を折り返す第２工程において、第１領域３５ａ，第２領域３５ｂを容易に折り返すことが可能となる。固定には、接着剤、両面テープ、および片面テープ等を用いる。
【００５８】
続いて、図９に示すように、耳部３５を折り返す第２工程において、耳部３５のうち発光素子１０の長辺側に位置する第１領域３５ａ，第２領域３５ｂを、矢印Ｃ、Ｄに示すように発光面１１ａと反対側に折り返す。この際、第１領域３５ａ，第２領域３５ｂを耳部３５と被覆部３４との境界部近傍Ｌ３，Ｌ４で折り返す。ここで、境界部近傍Ｌ３，Ｌ４とは、発光素子１０の長辺側における透明基材１１の端部に沿った位置または当該端部から外側に少し離れた位置を指す。
【００５９】
図１０に示すように、第２工程の状態においては、第１領域３５ａ，第２領域３５ｂのうら面が被覆部３４のうら面に対向する。この状態において、折り返された第１領域３５ａ，第２領域３５ｂの先端部である封止部材３０の端部３１ａ，３１ｂを被覆部３４のうら面に固定する。固定には、接着剤、両面テープや、片面テープ等を用いる。封止部材３０の端部３１ａ，３１ｂを固定することにより、折り返された第１領域３５ａ，第２領域３５ｂのうら面と被覆部３４とのうら面との間に筒状の空間を形成する。これにより、折り返した耳部３５によって取付領域３３ａ，３３ｂ（図２，図６参照）を形成する。
【００６０】
なお、筒状の空間とは、円筒形状を有する空間のみならず、円筒形状を横長に押し広げたような形状を有する空間を含む。円筒形状を横長に押し広げたような形状には、固定される端部３１ａ，３１ｂ側が狭く、折り返されている側が広くなっているような形状も含まれる。
【００６１】
続いて、取付領域３３ａ，３３ｂにワイヤ２０を挿通する。これにより、本実施の形態に係る面発光モジュール４０が製造される。
【００６２】
図１１に示すように、本実施の形態に係る面発光モジュール４０にあっては、耳部３５と被覆部３４との境界部近傍で封止部材３０を折り返すことにより、正面（面発光モジュールの表面４０ａ）から見た場合に、光を出射しない部分（非発光部）の領域が狭くなっている。このため、当該面発光モジュール４０を行列状に複数並べた場合には、隣接する光源部２間の間隔を狭くすることができ、輝度ムラを抑制することができる。
【００６３】
また、耳部３５は折り返すことにより正面に現れないため、耳部３５を比較的広範囲で形成することができる。これにより、封止の信頼性を向上させることができる。
【００６４】
本実施の形態に係る面発光モジュール４０にあっては、耳部３５を折り返すことにより、面発光モジュール４０の厚みを薄く保った状態で取付領域３３ａ，３３ｂが形成される。取付領域３３ａ，３３ｂにワイヤ２０を挿通してこれを被取付物２００に取り付けることにより、面発光モジュール４０を被取付物２００に取り付けることができる。
【００６５】
このため、複雑な取付構造を用いずに面発光モジュール４０を簡易に被取付物２００に取り付けることができる。また、複雑な取付構造を有する筐体等の部材が不要となるため、薄型化を実現することができる。
【００６６】
さらに、被取付物２００の設置面に取付用の加工を施す必要がないため、より簡易に面発光モジュール４０を取り付けることができる。面発光モジュール４０を取り外した際には、被取付物２００に加工跡が残らない。
【００６７】
また、面発光モジュール４０は曲げ変形可能であるため、曲面を有する柱等の被取付物に取り付ける場合であっても、設置面に沿って面発光モジュール４０を取り付けることができる。このため、取付場所の自由度が向上するとともに、面発光モジュール４０のデザイン性も向上する。
【００６８】
なお、本実施の形態においては、封止部材３０を被取付物に取り付けるための取付部材がワイヤ２０である場合を例示して説明したが、これに限定されず、取付部材としてリボンやベルト等の帯状部材を採用することができる。
【００６９】
（実施の形態２）
図１２は、本実施の形態に係る面発光モジュールの概略断面図である。図１３は、図１２に示す面発光モジュールを構成する各層の厚さを示す図である。図１２においては、陽極、陰極、絶縁層および電極部を省略している。図１２および図１３を参照して、本実施の形態に係る面発光モジュール４０Ａについて説明する。
【００７０】
本実施の形態に係る面発光モジュール４０Ａは、実施の形態１に係る面発光モジュール４０と比較した場合に、封止部材３０が折り返される位置が相違し、その他の構成は、ほぼ同様である。また、本実施の形態に係る面発光モジュール４０は、実施の形態１に係る面発光モジュールの製造方法に準じて製造される。
【００７１】
封止部材３０は、平面的に見て有機層１４の外側であってバリア層１２を含む部分Ｌ５において折り返されている。当該部分Ｌ５は、被覆部３４と耳部３５との境界部近傍に位置し、透明基材１１の端部から有機層１４寄りの部分である。
【００７２】
この場合には、バリア層１２が折り曲げられることになる。一般的に、バリア層１２は、他の層と比較して、折り返し時に発生する応力によって破壊されやすい。面発光モジュールを折り返した場合に、バリア層１２が面発光モジュールの厚み方向において中心部よりも内側に配置されると圧縮応力がバリア層１２に負荷される。一方、バリア層１２が面発光モジュールの厚み方向において中心部よりも外側に配置されると引張応力がバリア層１２に負荷される。このように圧縮応力および引張応力が負荷されるとバリア層が破壊されやすくなる。
【００７３】
このため、本実施の形態にあっては、バリア層１２に負荷される応力を緩和するために、バリア層１２は、面発光モジュール４０Ａの厚み方向における中心部に配置されている。この場合には、面発光モジュール４０Ａの各層の厚さを適宜調整する。
【００７４】
図１３に示すように、第２封止部３７および第１封止部３６とは、接着層を用いて発光素子１０に接着されるとともに、封止層１６は、ラミネート層とこれを有機層に接着するための接着材とによって構成されている。また、透明基材１１の両面には、ハードコート層が形成されている。
【００７５】
この場合には、第２封止部３７の厚さを２５μｍとし、第２封止部３７と封止層１６との間に位置する接着層の厚さを２０μｍとする。封止層１６のラミネート層（アルミニウムとＰＥＴの積層フィルム）を５５μｍとし、ラミネート層と有機層１４との間に位置する接着剤の厚さを５６μｍとする。有機層１４の厚さを０．６μｍとし、バリア層１２の厚さを０．６μｍとする。さらに、透明基材１１の厚さを１００μｍとし、透明基材１１の両面に形成されたハードコート層の厚さをそれぞれ６μｍとする。また、第１封止部３６の厚さを２５μｍとするとともに、透明基材１１の発光面１１ａ側の表面に形成されたハードコート層と第１封止部３６との間に位置する接着層の厚さを２５μｍとする。なお、このような各層の厚さは、一例であり、本発明の趣旨を逸脱しない範囲内において適宜変更することができる。
【００７６】
本実施の形態においては、バリア層１２を面発光モジュール４０Ａの厚み方向における中心部に配置するとともに、封止部材３０が、平面的に見て有機層１４の外側であってバリア層１２を含む部分において折り返されていることにより、実施の形態１と比較して、光を出射しない部分（非発光部）の領域をさらに狭くすることができる。
【００７７】
このため、本実施の形態においては、実施の形態１と同等以上の効果が得られる。特に、光を出射しない部分の領域をさらに狭くすることにより、複数の面発光モジュールを並べた場合において継ぎ目に発生する輝度ムラをさらに低減させることができる。
【００７８】
（実施の形態３）
図１４は、本実施の形態に係る面発光モジュールの裏面を示す平面図である。図１５は、本発実施の形態に係る面発光モジュールを具備した照明装置を示す概略図である。図１４および図１５を参照して、本実施の形態に係る面発光モジュール４０Ｂについて説明する。
【００７９】
図１４および図１５に示すように、本実施の形態に係る面発光モジュール４０Ｂは、実施の形態１に係る面発光モジュール４０と比較した場合に、ワイヤ２０を備えておらず、折り返した耳部３５に被係止部６０が設けられ、被取付物２００側に面発光モジュール４０Ｂを取り付けるための係止部６２が設けられている点において相違し、その他の構成は、ほぼ同様である。被係止部６０および係止部６２としては、たとえば磁石が用いられる。
【００８０】
被係止部６０は、封止部材３０のおもて面のうち耳部３５に該当する部分に設けられている。被係止部６０は、折り返された耳部３５の第１領域３５ａ，第２領域３５ｂのおもて面に接着等により固定されている。
【００８１】
折り返された耳部３５の第１領域３５ａ，第２領域３５ｂは、第１領域３５ａ，第２領域３５ｂのうら面と被覆部３４のうら面との間に隙間が形成されないように、先端部から折り返し位置にかけて被覆部３４に固定されている。このため、実施の形態１におけるワイヤ２０を挿通するための空間は形成されないが、後述するように耳部３５が折り返された状態において被係止部６０が係止部６２に係止される。これにより、取付時に被取付物２００に対向することとなる耳部３５のおもて面が実施の形態１に係る取付領域に相当する。耳部３５のおもて面のうち当該取付領域に該当する部分に被係止部６０が設けられている。
【００８２】
本実施の形態に係る面発光モジュール４０は、実施の形態１に係る面発光モジュールの製造方法に準じて製造される。この場合においては、面発光モジュールにワイヤを挿通する工程に代えて、折り返された耳部３５のおもて面に被係止部６０を固定する工程が行なわれる。なお、被係止部６０は、耳部３５を折り返す前であって、発光素子１０が封止部材３０に封止された後に、耳部３５のおもて面に固定されてもよい。
【００８３】
図１５に示すように、複数の面発光モジュール４０Ｂを行列状にタイリングすることにより照明装置１００Ｂを構成する場合には、係止部６２が設けられたベース部材６１を予め被取付物２００に取り付ける。係止部６２は、被係止部６０を着脱可能に係止することができる。
【００８４】
ベース部材６１は、たとえば可撓性を有するフィルム状またはシート状の部材である。ベース部材６１は、たとえばテープ、接着剤および締結具を用いて設置面２０１に沿って固定される。係止部６２は、被係止部６０に対応する位置に設けられている。係止部６２は、たとえばテープや接着剤を用いてベース部材６１に固定される。
【００８５】
面発光モジュール４０Ｂを図中矢印に沿って被取付物２００に近接させることにより、被係止部６０が係止部６２に係止される。具体的には、被係止部６０が磁石の吸引力により係止部６２に吸引固定される。これより、面発光モジュール４０Ｂは、被取付物２００に取り付けられる。
【００８６】
このように、取付部材は、被取付物２００側に設けられた係止部６２に係止されることが可能な被係止部６０によって構成されている。被係止部６０および係止部６２は、磁石を封止部材３０またはベース部材６１に固定したのみの簡易な構成である。また、耳部３５を折り返すことにより、面発光モジュールの厚みを薄く保った状態で取付領域が形成される。このため、本実施の形態においても、実施の形態１同様に、薄型化を実現することができ、曲面を有する被取付物にも簡易に設置することができるとともに、複数並べた場合には輝度ムラを抑制できる。
【００８７】
被係止部６０は、折り返されて被覆部３４に固定された耳部３５に設けられている。耳部３５が重ならない被覆部３４のうら面に被係止部を設けた場合と比較して、被係止部６０は、面発光モジュール４０Ｂの厚みが増して補強された部分に設けられることとなる。これにより、面発光モジュール４０Ｂを取り外す際に被係止部６０と封止部材３０との境界に負荷される応力に対する耐久性が向上する。
【００８８】
この結果、面発光モジュール４０Ｂの取り外し時に、被係止部６０と封止部材３０との境界で面発光モジュール４０が破損することを防止することができる。特に、発光面モジュールが薄くなる場合にあっては、全体的に剛性が下がるため、上記の位置に被係止部６０を設けた構成することで、このような効果が顕著に発揮される。
【００８９】
（実施の形態４）
図１６は、本実施の形態に係る面発光モジュールの裏面を示す平面図である。図１６を参照して、本実施の形態に係る面発光モジュール４０Ｃについて説明する。
【００９０】
図１６に示すように、本実施の形態に係る面発光モジュール４０Ｃは、実施の形態３に係る面発光モジュール４０Ｂと比較した場合に、係止部６２および被係止部６０Ｃにおいて、磁石に代えてスナップボタンが用いられている点において相違し、その他の構成はほぼ同様である。なお、スナップボタンに代えて面ファスナー等を用いてもよい。また、本実施の形態に係る面発光モジュール４０Ｃは、実施の形態３に係る面発光モジュールの製造方法に準じて製造される。
【００９１】
このような構成であっても、実施の形態３に係る面発光モジュール４０Ｂとほぼ同様の効果が得られる。
【００９２】
上述した実施の形態１から４にあっては、発光素子１０の枚数が３枚である場合を例示して説明したが、これに限定されず、１枚でも２枚でもいいし、４枚以上であってもよい。
【００９３】
上述した実施の形態１から４にあっては、発光素子１０が、いわゆるボトムエミッション型の有機ＥＬ素子である場合を例示して説明したが、これに限定されず、トップエミッション型の有機ＥＬ素子であってもよい。また、発光素子１０が、複数の発光ダイオード（ＬＥＤ）と拡散板とから構成されていてもよいし、冷陰極管等を用いて構成されていてもよい。
【００９４】
上述した実施の形態１および２においては、折り返された耳部３５の先端部が被覆部３４に固定される場合を例示して説明したが、固定すること無しに折り返された状態を維持できる場合には、耳部３５の先端部が被覆部３４に固定されていなくてもよい。
【００９５】
以上、本発明の実施の形態について説明したが、今回開示された実施の形態はすべての点で例示であって制限的なものではない。本発明の範囲は特許請求の範囲によって示され、特許請求の範囲と均等の意味および範囲内でのすべての変更が含まれる。
【符号の説明】
【００９６】
２  光源部、１０  発光素子、１１  透明基材、１１ａ  発光面、１２  バリア層、１３  陽極、１４  有機層、１５  陰極、１６  封止層、１７  絶縁層、１８，１９  電極部、２０  ワイヤ、３０  封止部材、３１ａ，３１ｂ  端部、３３ａ，３３ｂ  取付領域、３４  被覆部、３５  耳部、３５ａ  第１領域、３５ｂ  第２領域、３５ｃ  第３領域、３５ｄ  第４領域、３６  第１封止部、３７  第２封止部、４０，４０Ａ，４０Ｂ，４０ＢＦ，４０Ｃ  面発光モジュール、６０，６０Ｃ  被係止部、６１  ベース部材、６２  係止部、１００，１００Ｂ  照明装置、２００  被取付物、２０１  設置面。
【図１】
2015141782.tif 000003
【図２】
2015141782.tif 000004
【図３】
2015141782.tif 000005
【図４】
2015141782.tif 000006
【図５】
2015141782.tif 000007
【図６】
2015141782.tif 000008
【図７】
2015141782.tif 000009
【図８】
2015141782.tif 000010
【図９】
2015141782.tif 000011
【図１０】
2015141782.tif 000012
【図１１】
2015141782.tif 000013
【図１２】
2015141782.tif 000014
【図１３】
2015141782.tif 000015
【図１４】
2015141782.tif 000016
【図１５】
2015141782.tif 000017
【図１６】
2015141782.tif 000018